(57)【要約】【課題】高周波電極に発熱体を設けるプラズマ処理装置において、ヒータ電源の動作性能の安全性・信頼性を図るだけでなく、ヒータ給電ライン上で生じる高周波の電力損失を極力少なくして、プロセス性能の再現性・信頼性を向上させる。【解決手段】フィルタユニット５４(IN)のケーシング１２０内において、初段コイル１０８(1)，１０８(2)をそれぞれ構成する３個の空芯コイル単体［Ａ(1)，Ｂ(1)、Ｃ(1)］、［Ａ(2)、Ｂ(2)，Ｃ(2)］は、ヒータ電源から内側発熱線に十分大きな電流を流す給電線の機能に加えて、発熱（パワーロス）を防ぐ観点からフェライト等の磁芯を持たずに空芯で非常に大きなインダクタンスを得るために、太いコイル線とこれまでの常識に反するような大きさのコイルサイズを有している。【選択図】    図６
2008198902.tif 000002
【特許請求の範囲】
【請求項１】
減圧可能な処理容器内に配設された第１の電極に第１の高周波を出力する第１の高周波電源を電気的に接続するとともに、前記第１の電極に設けられる発熱体に前記第１の高周波のノイズを減衰させるためのフィルタ回路を介してヒータ電源を電気的に接続しているプラズマ処理装置であって、
前記発熱体側から見て前記フィルタ回路の初段に設けられる空芯の初段コイルと、
前記初段コイルを包囲または収容して接地される導電性のケーシングと
を有するプラズマ処理装置。
【請求項２】
前記初段コイルのインダクタンスが５μＨ以上で、前記初段コイルと接地電位部間の浮遊容量が３０ｐＦ以下である請求項１に記載のプラズマ処理装置。
【請求項３】
前記初段コイルが、前記ケーシング内で空間的に並置され、電気的に直列接続された複数個の空芯コイル単体に分割されている請求項１または請求項２に記載のプラズマ処理装置。
【請求項４】
前記複数個の空芯コイル単体の中で、最も初段に位置する空芯コイル単体が他の全ての空芯コイル単体よりも大きなインダクタンスを有する請求項３記載のプラズマ処理装置。
【請求項５】
前記複数個の空芯コイル単体の中で、最も初段に位置する空芯コイル単体が他の全ての空芯コイル単体よりも小さな浮遊容量を有する請求項３または請求項４に記載のプラズマ処理装置。
【請求項６】
前記発熱体側から見て前記初段コイルの反対側の端子と接地電位部との間に第１のコンデンサが接続され、前記初段コイルと前記第１のコンデンサとの間の第１の接続点が前記ヒータ電源の出力端子に電気的に接続される請求項３〜５のいずれか一項に記載のプラズマ処理装置。
【請求項７】
前記第１のコンデンサが前記ケーシングに収容される請求項６に記載のプラズマ処理装置。
【請求項８】
前記第１の接続点に次段コイルの一方の端子が接続され、前記次段コイルの他方の端子と接地電位部との間に第２のコンデンサが接続され、前記次段コイルと前記第２のコンデンサとの間の第２の接続点が前記ヒータ電源の出力端子に電気的に接続される請求項６または請求項７に記載のプラズマ処理装置。
【請求項９】
前記次段コイルおよび前記第２のコンデンサが前記ケーシングに収容される請求項８に記載のプラズマ処理装置。
【請求項１０】
前記初段コイルと前記次段コイルとの間に、接地された電磁シールド用の隔壁板が設けられる請求項９に記載のプラズマ処理装置。
【請求項１１】
前記次段コイルが磁芯入りのコイルである請求項８〜１０のいずれか一項に記載のプラズマ処理装置。
【請求項１２】
前記直列接続される複数個の空芯コイル単体が前記ケーシング内で実質的に一列に配置され、隣接する空芯コイル単体の間で相互インダクタンスの結合定数が正の値になるようにそれぞれのコイル巻線の螺旋の向きおよび結線が設定される請求項３〜１１のいずれか一項に記載のプラズマ処理装置。
【請求項１３】
前記発熱体の第１および第２の端子に前記ヒータ電源の第１および第２の出力端子がそれぞれ第１および第２の給電ラインを介して接続され、前記第１および第２の給電ラインに空芯の第１および第２の初段コイルがそれぞれ設けられる請求項１〜１２のいずれか一項に記載のプラズマ処理装置。
【請求項１４】
前記第１および第２の初段コイルの合成インダクタンスが５μＨ以上で、前記第１および第２の初段コイルと接地電位部間の合成浮遊容量が３０ｐＦ以下である請求項１３に記載のプラズマ処理装置。
【請求項１５】
前記第１の初段コイルと前記第２の初段コイルとが同心状に配置される請求項１３または請求項１４に記載のプラズマ処理装置。
【請求項１６】
前記第１の初段コイルを構成する複数個の空芯コイル単体と前記第２の初段コイルを構成する複数個の空芯コイル単体とが前記ケーシング内に同数個設けられ、給電ライン上の電気的な位置で対応する前記第１の給電ライン側の各空芯コイル単体と前記第２の給電ライン側の各空芯コイル単体とが同心状に配置される請求項１５記載のプラズマ処理装置。
【請求項１７】
同心状に配置される前記第１の給電ライン側の各空芯コイル単体と前記第２の給電ライン側の各空芯コイル単体との間で相互インダクタンスの結合定数が正の値になるようにそれぞれのコイル巻線の螺旋の向きが設定される請求項１６に記載のプラズマ処理装置。
【請求項１８】
前記発熱体が前記第１の電極の主面に絶縁体を介して埋め込まれている請求項１〜１７のいずれか一項に記載のプラズマ処理装置。
【請求項１９】
前記発熱体が電極半径方向において内側の発熱部と外側の発熱部に２分割され、前記内側発熱部および前記外側発熱部の各々に個別の前記フィルタ回路を介して個別の前記ヒータ電源が電気的に接続される請求項１〜１８のいずれか一項に記載のプラズマ処理装置。
【請求項２０】
前記ケーシングが比透磁率の高いステンレス鋼からなる請求項１〜１９のいずれか一項に記載のプラズマ処理装置。
【請求項２１】
前記第１の電極が下部電極で、その上に被処理体が載置される請求項１〜２０のいずれか一項に記載のプラズマ処理装置。
【請求項２２】
前記ケーシングが前記第１の電極の近傍直下に配置される請求項２１に記載のプラズマ処理装置。
【請求項２３】
前記第１の高周波が１３．５６ＭＨｚまたはその近辺の周波数を有する請求項１〜２２のいずれか一項に記載のプラズマ処理装置。
【請求項２４】
前記処理容器内で前記第１の電極と所望のギャップを隔てて平行に対向する第２の電極を有する請求項１〜２３のいずれか一項に記載のプラズマ処理装置。
【請求項２５】
前記第２の電極に、第２の高周波を出力する第２の高周波電源が電気的に接続される請求項２４に記載のプラズマ処理装置。
【請求項２６】
前記第２の高周波が４０ＭＨｚ以上である請求項２５に記載のプラズマ処理装置。
【請求項２７】
前記第１の電極またはそれと熱的に結合される支持部材に冷媒通路が設けられ、前記冷媒通路にチラー装置より温調された冷媒が供給される請求項１〜２６のいずれか一項に記載のプラズマ処理装置。
【発明の詳細な説明】
【技術分野】
【０００１】
本発明は、減圧可能な処理容器内の高周波電極に発熱体を設けるプラズマ処理装置に係り、特に発熱体に電力を供給するための給電ラインに高周波遮断用のフィルタ回路を設けるプラズマ処理装置に関する。
【背景技術】
【０００２】
プラズマを用いる半導体デバイスあるいはＦＰＤ（Flat Panel Display）の製造のための微細加工においては、被処理基板（半導体ウエハ、ガラス基板等）上のプラズマ密度分布の制御と共に、基板の温度ないし温度分布の制御が非常に重要である。基板の温度制御が適正に行われないと、基板表面におけるプロセスの均一性が確保できなくなり、半導体デバイスあるいは表示デバイスの製造歩留まりが低下する。
【０００３】
一般に、プラズマ処理装置、特に容量結合型のプラズマ処理装置のチャンバ内で被処理基板を載置する載置台またはサセプタは、プラズマ空間に高周波を印加する高周波電極の機能と、基板を静電吸着等で保持する保持部の機能と、基板を伝熱で所定温度に制御する温度制御部の機能とを有している。温度制御機能に関しては、プラズマやチャンバ壁からの輻射熱の不均一性による基板への入熱特性の分布や、基板支持構造による熱分布を適切に補正できることが望まれている。
【０００４】
従来より、サセプタ上面の温度（ひいては基板の温度）を制御するために、サセプタまたはサセプタ支持台の内部に冷媒を流す冷媒通路を設け、チラー装置より温調した冷媒を該冷媒通路に循環供給する方式が多用されている。しかしながら、このようなチラー方式は、冷媒の温度を急速に変化させるのが難しく、温度制御の応答性が低いため、温度切換または昇降温を高速に行えないという弱点がある。最近のプロセスたとえばプラズマエッチングの分野では、被処理基板上の多層膜を従来のマルチチャンバ方式に代えて単一のチャンバ内で連続加工する方式が求められている。この単チャンバ方式を実現するうえで、載置台の高速昇降温を可能とする技術が必須になってきている。このような事情から、サセプタに通電により発熱する発熱体を組み込み、該発熱体の発生するジュール熱を制御してサセプタ温度ひいては基板温度を高速かつ精細に制御できるヒータ方式が改めて見直されている。
【０００５】
ところで、プラズマ制御の面からサセプタに高周波電源を接続する下部高周波印加方式と温度制御の面からサセプタに発熱体を設ける上記のようなヒータ方式とを一緒にした場合、該高周波電源よりサセプタに印加された高周波の一部がヒータ給電ラインを通ってヒータ電源に入り込むと、ヒータ電源の動作ないし性能が害されるおそれがある。特に、高速制御の可能なヒータ電源は、ＳＳＲ（Solid State Relay）等の半導体スイッチング素子を使用して高感度のスイッチング制御またはＯＮ／ＯＦＦ制御を行うため、高周波のノイズが入り込むと容易に誤動作を起こしやすい。そこで、高周波ノイズを十分減衰させるためのフィルタ回路をヒータ給電ラインに設けるのが通例となっている。
【０００６】
一般に、この種のフィルタ回路は、１個のコイル（インダクタ）と１個のコンデンサとからなるＬＣローパス・フィルタをはしご形に多段に接続している。たとえば、ＬＣローパス・フィルタ１段当たりの減衰率が１／１０であるとすると、２段接続では高周波ノイズを１／１００まで減衰させ、３段接続では１／１０００まで減衰させることができる。
【特許文献１】特開２００６−２８６７３３
【発明の開示】
【発明が解決しようとする課題】
【０００７】
上記のように、従来のプラズマ処理装置において、ヒータ給電ラインに設けられるフィルタ回路の機能は、ヒータ電源の動作ないし性能を正常に保つ観点から、高周波電源よりサセプタを経由して入ってくる高周波のノイズを減衰させることだけに主眼が置かれており、フィルタ回路内の各段のＬＣローパス・フィルタにはインダクタンスの小さなコイルとキャパシタンスの大きなコンデンサが用いられている。
【０００８】
しかしながら、本発明者は、サセプタに下部高周波印加方式とヒータ方式とを併用するプラズマ処理装置の開発・評価を進める中で、上記のような従来のフィルタ回路にはプロセス性能の面から問題点があることに気づいた。すなわち、高周波電源からサセプタに印加される高周波の電力損失とプロセス性能（たとえばエッチングレート）との間に一定の相関性（ＲＦ電力損失が大きいほどプロセス性能が低下するという関係）があるのはよく知られているが、従来のフィルタ回路はプロセス性能上無視できないほど多量のＲＦ電力損失を生じていることが分かった。しかも、フィルタ回路内のＲＦ電力損失は設計で規定されるものではないため、同機種のプラズマ装置でも１台１台のＲＦ電力損失量にばらつき（機差）があり、これがプロセス性能の機差につながることも分かった。そして、かかる問題意識の下で幾多の実験と鋭意な研究を重ねた結果、本発明に到達した。
【０００９】
すなわち、本発明は、上記のような従来技術の問題点を解決するものであり、高周波電極に発熱体を設けるプラズマ処理装置において、ヒータ電源の動作性能の安全性・信頼性を図るだけでなく、ヒータ給電ライン上で生じる高周波の電力損失を極力少なくして、プロセス性能の再現性・信頼性を向上させることを目的とする。
【課題を解決するための手段】
【００１０】
上記の目的を達成するために、本発明のプラズマ処理装置は、減圧可能な処理容器内に配設した第１の電極に第１の高周波を出力する第１の高周波電源を電気的に接続するとともに、前記第１の電極に設けられる発熱体に前記第１の高周波のノイズを減衰させるためのフィルタ回路を介してヒータ電源を電気的に接続しているプラズマ処理装置であって、前記発熱体側から見て前記フィルタ回路の初段に設けられる空芯の初段コイルと、前記初段コイルを包囲または収容して接地される導電性のケーシングとを有する。
【００１１】
上記の構成においては、フィルタ回路の初段コイルが空芯コイルであるから、そのインダクタンスを非常に大きな値にすることで、インダクタンスの小さなコイルあるいはフェライト等の磁芯を入れたコイルに比して高周波の電力損失を著しく少なくすることができる。また、かかる空芯コイルを接地電位の導電性ケーシング内にその内壁から一定距離（経験的には１０ｍｍ以上）離して収納または配置することで、その浮遊容量を可及的に小さくし、ひいてはＲＦ電力損失を一層低減することができる。ケーシングの材質には、比透磁率の高いステンレス鋼を好適に使用できる。
【００１２】
本発明の好適な一態様によれば、初段コイルのインダクタンスが５μＨ以上で、初段コイルと接地電位部間の浮遊容量が３０ｐＦ以下である。かかる数値条件を満たすことで、初段コイルひいてはフィルタ回路全体のＲＦ電力損失が第１の高周波電源より供給される全ＲＦ電力に占める割合（フィルタパワー損失率）を基準値以下に管理し、プロセス性能の再現性を向上させることができる。
【００１３】
別の好適な一態様によれば、初段コイルが、ケーシング内で空間的に並置され、電気的に直列接続された複数個の空芯コイル単体に分割される。かかる分割式により、限られたケーシング・スペース内で初段コイル全体のインダクタンスを大きくすることができる。この場合、初段コイル全体の合成浮遊容量を小さくするために、最も初段に位置する空芯コイル単体の巻数を出来るだけ多くし、当該空芯コイル単体の浮遊容量を出来るだけ小さくするのが好ましい。
【００１４】
また、好適な一態様においては、発熱体側から見て初段コイルの反対側の端子と接地電位部との間に第１のコンデンサが接続され、初段コイルと第１のコンデンサとの間の第１の接続点がヒータ電源の出力端子に電気的に接続される。また、第１の接続点に次段コイルの一方の端子が接続され、次段コイルの他方の端子と接地電位部との間に第２のコンデンサが接続され、次段コイルと第２のコンデンサとの間の第２の接続点がヒータ電源の出力端子に電気的に接続される。この場合、第１のコンデンサ、次段コイルおよび第２のコンデンサもケーシングに収容することができる。好ましくは、初段コイルと次段コイルとの間に、接地された電磁シールド用の隔壁板が設けられてよい。次段コイルは磁芯入りのコイルで構成することも可能である。
【００１５】
また、好適な一態様によれば、直列接続される複数個の空芯コイル単体がケーシング内で実質的に一列に配置され、隣接する空芯コイル単体の間で相互インダクタンスの結合定数が正の値（なるべく１に近い値）になるようにそれぞれのコイル巻線の螺旋の向きおよび結線が設定される。かかる構成により、効率的に、各空芯コイル単体のインダクタンスを大きくし、ひいては初段コイル全体のインダクタンスを大きくすることができる。
【００１６】
また、好適な一態様によれば、発熱体の第１および第２の端子にヒータ電源の第１および第２の出力端子がそれぞれ第１および第２の給電ラインを介して接続され、第１および第２の給電ラインに空芯の第１および第２の初段コイルがそれぞれ設けられる。この場合は、プロセス性能の安定性・再現性の面から、第１および第２の初段コイルの合成インダクタンスを５μＨ以上にし、両初段コイルと接地電位部間の合成浮遊容量を３０ｐＦ以下にするのが好ましい。また、合成インダクタンスを大きくし、かつ全体サイズのコンパクト化を図るために、第１の初段コイルと第２の初段コイルとを同心状に配置するのが好ましい。
【００１７】
また、好適な一態様によれば、第１の初段コイルを構成する複数個の空芯コイル単体と第２の初段コイルを構成する複数個の空芯コイル単体とがケーシング内に同数個設けられ、給電ライン上の電気的な位置で対応する第１の給電ライン側の各空芯コイル単体と第２の給電ライン側の各空芯コイル単体とが同心状に配置される。この場合、好ましくは、同心状に配置される第１の給電ライン側の各空芯コイル単体と第２の給電ライン側の各空芯コイル単体との間で相互インダクタンスの結合定数が正の値（なるべく１に近い値）になるようにそれぞれのコイル巻線の螺旋の向きが設定されてよい。かかる構成においても、効率的に、各空芯コイル単体のインダクタンスを大きくし、ひいては初段コイル全体のインダクタンスを大きくすることができる。
【００１８】
好適な一態様によれば、発熱体が第１の電極の主面に絶縁体を介して埋め込まれる。好適には、静電チャックを構成する誘電体の中に封入する形態で発熱体を設けることができる。
【００１９】
また、発熱体が電極半径方向において内側の発熱部と外側の発熱部に２分割され、内側発熱部および外側発熱部の各々に個別のフィルタ回路を介して個別のヒータ電源が電気的に接続される構成も可能である。
【００２０】
好適な一態様によれば、第１の電極が下部電極で、その上に被処理体が載置される。また、ケーシングは第１の電極の近傍直下に配置されてよい。
【００２１】
好適な一態様によれば、上記第１の高周波は１３．５６ＭＨｚまたはその近辺の周波数を有し、その範囲としては経験的におおよそ１３．５６ＭＨｚの１／２（６．７８ＭＨｚ）から１３．５６ＭＨｚの２倍（２７．１２ＭＨｚ）程度までが好ましい。
【００２２】
また、処理容器内で第１の電極と所望のギャップを隔てて平行に対向する第２の電極が設けられ、この第２の電極に第２の高周波（好ましくは４０ＭＨｚ以上）を出力する第２の高周波電源が電気的に接続される。
【００２３】
また、好適な一態様によれば、第１の電極またはそれと熱的に結合される支持部材に冷媒通路が設けられ、冷媒通路にチラー装置より温調された冷媒が供給される。この場合、第１の電極にチラーの冷却とヒータの加熱を同時に与えることにより、高速の温度切換または昇降温を可能とすることができる。
【発明の効果】
【００２４】
本発明のプラズマ処理装置によれば、上記のような構成と作用により、高周波電極に発熱体を設けるプラズマ処理装置において、ヒータ電源の動作性能の安全性・信頼性を図るだけでなく、ヒータ給電ライン上で生じる高周波の電力損失を極力少なくして、プロセス性能の再現性・信頼性を向上させることができる。
【発明を実施するための最良の形態】
【００２５】
以下、添付図を参照して本発明の好適な実施の形態を説明する。
【００２６】
図１に、本発明の一実施形態におけるプラズマ処理装置の構成を示す。このプラズマ処理装置は、上下部２周波印加方式の容量結合型プラズマエッチング装置として構成されており、たとえばアルミニウムまたはステンレス鋼等の金属製の円筒型チャンバ（処理容器）１０を有している。チャンバ１０は保安接地されている。
【００２７】
チャンバ１０内には、被処理基板としてたとえば半導体ウエハＷを載置する円板状のサセプタ１２が下部電極として水平に配置されている。このサセプタ１２は、たとえばアルミニウムからなり、チャンバ１０の底から垂直上方に延びるたとえばセラミック製の絶縁性筒状支持部１４により非接地で支持されている。この筒状支持部１４の外周に沿ってチャンバ１０の底から垂直上方に延びる導電性の筒状支持部１６とチャンバ１０の内壁との間に環状の排気路１８が形成され、この排気路１８の底に排気口２０が設けられている。この排気口２０には排気管２２を介して排気装置２４が接続されている。排気装置２４は、ターボ分子ポンプなどの真空ポンプを有しており、チャンバ１０内の処理空間を所望の真空度まで減圧することができる。チャンバ１０の側壁には、半導体ウエハＷの搬入出口を開閉するゲートバルブ２６が取り付けられている。
【００２８】
サセプタ１２には、第１の高周波電源２８がＲＦケーブル３０、下部マッチングユニット３２および下部給電棒３４を介して電気的に接続されている。ここで、高周波電源２８は、主としてサセプタ１２上の半導体ウエハＷへのイオンの引き込みに寄与する所定の周波数たとえば１３．５６ＭＨｚの第１高周波を出力する。ＲＦケーブル３０は、たとえば同軸ケーブルからなる。下部マッチングユニット３２には、高周波電源２８側のインピーダンスと負荷（主に電極、プラズマ）側のインピーダンスとの間で整合をとるための整合回路が収容されるとともに、オートマッチング用のＲＦセンサ、コントローラ、ステッピングモータ等も備わっている。
【００２９】
サセプタ１２は半導体ウエハＷよりも一回り大きな直径または口径を有している。サセプタ１２の主面つまり上面は、ウエハＷと略同形状（円形）かつ略同サイズの中心領域つまりウエハ載置部と、このウエハ載置部の外側に延在する環状の周辺部とに半径方向で２分割されており、ウエハ載置部の上には処理対象の半導体ウエハＷが載置され、環状周辺部の上に半導体ウエハＷの口径よりも僅かに大きな内径を有するフォーカスリング３６が取り付けられる。このフォーカスリング３６は、半導体ウエハＷの被エッチング材に応じて、たとえばＳi，ＳiＣ，Ｃ，ＳiＯ2の中のいずれかの材質で構成されている。
【００３０】
サセプタ１２上面のウエハ載置部には、ウエハ吸着用の静電チャック３８および発熱体４０が設けられている。静電チャック３８は、サセプタ１２の上面に一体形成または一体固着された膜状または板状の誘電体４２の中にたとえばメッシュ状の導電体４４を封入しており、導電体４４にはチャンバ１０の外に配置される外付けの直流電源４５がスイッチ４６、高抵抗値の抵抗４８およびＤＣ高圧線５０を介して電気的に接続されている。直流電源４５より印加される高圧の直流電圧により、クーロン力で半導体ウエハＷを静電チャック３８上に吸着保持できるようになっている。なお、ＤＣ高圧線５０は、被覆線であり、円筒体の下部給電棒３４の中を通り、サセプタ１２を下から貫通して静電チャック３８の導電体４４に接続されている。
【００３１】
発熱体４０は、静電チャック３８の導電体４４と一緒に誘電体４２の中に封入された例えばスパイラル状の抵抗発熱線からなり、この実施形態では図３に示すようにサセプタ１２の半径方向において内側の発熱線４０(IN）と外側の発熱線４０(OUT)とに２分割されている。このうち、内側発熱線４０(IN）は、絶縁被覆された給電線（または給電棒）５２(IN)、フィルタユニット５４(IN)および電気ケーブル５６(IN)を介して、チャンバ１０の外に配置される専用のヒータ電源５８(IN)に電気的に接続されている。外側発熱線４０(OUT)は、絶縁被覆された給電線（または給電棒）５２(OUT)、フィルタユニット５４(OUT)および電気ケーブル５６(OUT)を介して、やはりチャンバ１０の外に配置される専用のヒータ電源５８(OUT)に電気的に接続されている。この中で、フィルタユニット５４(IN)，５４(OUT)はこの実施形態における主要な特徴部分であり、その内部の構成および作用については後に詳細に説明する。
【００３２】
サセプタ１２の内部には、たとえば円周方向に延びる環状の冷媒通路６０が設けられている。この冷媒通路６０には、外付けのチラーユニット（図示せず）より配管を介して供給される所定温度の冷媒が流れるようになっている。冷媒の温度によって静電チャック３８上の半導体ウエハＷの温度を制御できる。さらに、ウエハ温度の精度を一層高めるために、伝熱ガス供給部（図示せず）からの伝熱ガスたとえばＨeガスが、ガス供給管およびサセプタ１２内部のガス通路６２を介して静電チャック３８と半導体ウエハＷとの間に供給される。
【００３３】
チャンバ１０の天井には、サセプタ１２と平行に向かい合って上部電極を兼ねるシャワーヘッド６４が設けられている。このシャワーヘッド６４は、サセプタ１２と向かい合う電極板６６と、この電極板６６をその背後（上）から着脱可能に支持する電極支持体６８とを有し、電極支持体６８の内部にガス室７０を設け、このガス室７０からサセプタ１２側に貫通する多数のガス吐出孔７２を電極支持体６８および電極板６６に形成している。電極板６６とサセプタ１２との間の空間Ｓがプラズマ生成空間ないし処理空間となる。ガス室７０の上部に設けられるガス導入口７０ａには、処理ガス供給部７４からのガス供給管７６が接続されている。電極板６６はたとえばＳi、ＳiＣあるいはＣからなり、電極支持体６８はたとえばアルマイト処理されたアルミニウムからなる。
【００３４】
シャワーヘッド６４とチャンバ１０の上面開口縁部との間は、たとえばアルミナからなるリング形状の絶縁体７８が気密に塞いでおり、シャワーヘッド６４は非接地でチャンバ１０に取り付けられている。シャワーヘッド６４には、第２の高周波電源８０がＲＦケーブル８２、上部マッチングユニット８４および上部給電棒８６を介して電気的に接続されている。ここで、高周波電源８０は、主としてプラズマの生成に寄与する所定の周波数たとえば６０ＭＨｚの第２高周波を出力する。ＲＦケーブル８２は、たとえば同軸ケーブルからなる。マッチングユニット８４には、高周波電源８０側のインピーダンスと負荷（主に電極、プラズマ）側のインピーダンスとの間で整合をとるための整合回路が収容されるとともに、オートマッチング用のＲＦセンサ、コントローラ、ステッピングモータ等も備わっている。
【００３５】
このプラズマエッチング装置内の各部たとえば排気装置２４、高周波電源２８，８０、直流電源４５のスイッチ４６、ヒータ電源５８(IN)，５８(OUT)、チラーユニット（図示せず）、伝熱ガス供給部（図示せず）および処理ガス供給部７４等の個々の動作および装置全体の動作（シーケンス）は、たとえばマイクロコンピュータを含む装置制御部（図示せず）によって制御される。
【００３６】
このプラズマエッチング装置において、エッチングを行なうには、先ずゲートバルブ２６を開状態にして加工対象の半導体ウエハＷをチャンバ１０内に搬入して、静電チャック３８の上に載置する。そして、処理ガス供給部７４よりエッチングガス（一般に混合ガス）を所定の流量および流量比でチャンバ１０内に導入し、排気装置２４によりチャンバ１０内の圧力を設定値にする。さらに、第１および第２の高周波電源２８、８０をオンにして第１高周波（１３．５６ＭＨｚ）および第２高周波（６０ＭＨｚ）をそれぞれ所定のパワーで出力させ、これらの高周波をＲＦケーブル３０，８２、マッチングユニット３２，８４および給電棒３４，８６を介してサセプタ（下部電極）１２およびシャワーヘッド（上部電極）６４にそれぞれ供給する。また、スイッチ４６をオンにし、静電吸着力によって静電チャック３８と半導体ウエハＷとの間の接触界面に伝熱ガス（Ｈeガス）を閉じ込める。そして、チラーユニットからサセプタ１２内の冷媒通路６０に一定温度に温調された冷却水を供給する一方で、ヒータ電源５８(IN)，５８(OUT)をオンにして、内側発熱体４０(IN)および外側発熱体４０(OUT)を各々独立したジュール熱で発熱させ、サセプタ１２上面の温度ないし温度分布を設定値に制御する。シャワーヘッド６４より吐出されたエッチングガスは両電極１２，６４間で高周波の放電によってプラズマ化し、このプラズマで生成されるラジカルやイオンによって半導体ウエハＷの主面の膜がエッチングされる。
【００３７】
この容量結合型プラズマエッチング装置は、シャワーヘッド６４に６０ＭＨｚというプラズマ生成に適した比較的高い周波数の第２高周波を印加することにより、プラズマを好ましい解離状態で高密度化し、より低圧の条件下でも高密度プラズマを形成することができる。それと同時に、サセプタ１２に１３．５６ＭＨｚというイオン引き込みに適した比較的低い周波数の第１高周波を印加することにより、サセプタ１２の上方の半導体ウエハＷに対して選択性の高い異方性のエッチングを施すことができる。なお、通常、第２高周波には４０ＭＨｚ以上の任意の周波数を使用することができる。
【００３８】
また、この容量結合型プラズマエッチング装置においては、サセプタ１２にチラーの冷却とヒータの加熱を同時に与え、しかもヒータの加熱を半径方向の中心部とエッジ部とで独立に制御するので、高速の温度切換または昇降温が可能であるとともに、温度分布のプロファイルを任意または多様に制御することも可能である。
【００３９】
次に、図２〜図１０につき、この実施形態の主要な特徴部分であるフィルタユニット５４(IN)，５４(OUT)内の構成および作用を説明する。
【００４０】
図２に、サセプタ１２に設けられる発熱体４０に電力を供給するための給電部の回路構成を示す。この実施形態では、発熱体４０の内側発熱線４０(IN)および外側発熱線４０(OUT)のそれぞれに対して実質的に同一の回路構成を有する個別の給電部を接続し、内側発熱線４０(IN)および外側発熱線４０(OUT)の発熱量または発熱温度を独立に制御するようにしている。以下の説明では、内側発熱線４０(IN)に対する給電部の構成および作用について述べる。外側発熱線４０(OUT)に対する給電部の構成および作用も全く同じである。
【００４１】
ヒータ電源５８(IN)は、たとえばＳＳＲを用いて商用周波数のスイッチング（ＯＮ／ＯＦＦ）動作を行う交流出力型の電源であり、内側発熱体４０(IN)と閉ループの回路で接続されている。より詳細には、ヒータ電源５８(IN)の一対の出力端子のうち、第１の出力端子は第１の給電ライン１００(1)を介して内側発熱線４０(IN)の第１の端子ａに電気的に接続され、第２の出力端子は第２の給電ライン１００(2)を介して内側発熱線４０(IN)の第２の端子ｂに電気的に接続されている。
【００４２】
フィルタユニット５４(IN)は、第１および第２の給電ライン１００(1)，１００(2)の途中にそれぞれ設けられる第１および第２のフィルタ回路１０２(1)，１０２(2)を有している。両フィルタ回路１０２(1)，１０２(2)は、回路構成が実質的に同じであり、図示の例では内側発熱線４０(IN)側から見てそれぞれ初段のＬＣローパス・フィルタ１０４(1)，１０４(2)と次段のＬＣローパス・フィルタ１０６(1)，１０６(2)とをはしご形に縦続接続している。
【００４３】
より詳細には、初段ＬＣローパス・フィルタ１０４(1)，１０４(2)は、それぞれ初段コイル１０８(1)，１０８(2)と初段コンデンサ１１０(1)，１１０(2)との直列回路で構成されている。初段コイル１０８(1)，１０８(2)の一方の端子またはフィルタ端子Ｔ(1)，Ｔ(2)は給電線（ペアケーブル）５２(IN)を介して内側発熱線４０(IN)の両端子ａ，ｂにそれぞれ接続されており、初段コイル１０８(1)，１０８(2)の他方の端子と接地電位部との間に初段コンデンサ１１０(1)，１１０(2)がそれぞれ接続されている。
【００４４】
次段ＬＣローパス・フィルタ１０６(1)，１０６(2)は、次段コイル１１２(1)，１１２(2)と次段コンデンサ１１４(1)，１１４(2)との直列回路で構成されている。次段コイル１１２(1)，１１２(2)の一方の端子は初段コイル１０８(1)，１０８(2)と初段コンデンサ１１０(1)，１１０(2)との間の接続点ｍ(1)，ｍ(2)にそれぞれ接続され、次段コイル１１２(1)，１１２(2)の他方の端子と接地電位部との間に次段コンデンサ１１４(1)，１１４(2)がそれぞれ接続されている。そして、次段コイル１１２(1)，１１２(2)と次段コンデンサ１１４(1)，１１４(2)との間の接続点ｎ(1)，ｎ(2)は、電気ケーブル（ペアケーブル）５６(IN)を介してヒータ電源５８(IN)の第１および第２の出力端子にそれぞれ接続されている。
【００４５】
かかる構成の給電部において、ヒータ電源５８(IN)より出力される電流は、正極性のサイクルでは、第１の給電ライン１００(1)つまり電気ケーブル５６(IN)、次段コイル１１２(1)，初段コイル１０８(1)および給電線５２(IN)を通って一方の端子ａから内側発熱線４０(IN)に入り、内側発熱線４０(IN)の各部で通電によるジュール熱を発生させ、他方の端子ｂから出た後は、第２の給電ライン１００(2)つまり給電線５２(IN)、初段コイル１０８(2)、次段コイル１１２(2)および電気ケーブル５６(IN)を通って帰還する。負極性のサイクルでは、同じ回路を上記と逆方向に電流が流れる。このヒータ交流出力の電流は商用周波数であるため、初段コイル１０８(1)，１０８(2)および次段コイル１１２(1) ，１１２(2)におけるインピーダンスまたは電圧降下は無視できるほど小さく、また初段コンデンサ１１０(1)，１１０(2)および次段コンデンサ１１４(1)，１１４(2)を通ってアースへ抜ける漏れ電流も無視できるほど少ない。
【００４６】
この実施形態における特徴の１つは、初段ＬＣローパス・フィルタ１０４(1)，１０４(2)の初段コイル１０８(1)，１０８(2)が発熱防止の観点より空芯コイルからなり、設置スペース（特に縦方向スペース）のコンパクト化のために好ましくは図４に示すように電気的に直列接続された複数個たとえば３個の空芯コイル単体［Ａ(1)，Ｂ(1)、Ｃ(1)］、［Ａ(2)、Ｂ(2)，Ｃ(2)］でそれぞれ構成されていることである。また、更なる特徴は、それら複数個の空芯コイル単体［Ａ(1)，Ｂ(1)、Ｃ(1)］、［Ａ(2)、Ｂ(2)，Ｃ(2)］が図５および図６に示すような構造でフィルタユニット５４(IN)に設けられていることである。そして、初段コイル１０８(1)，１０８(2)の合成インダクタンスおよび合成対地浮遊容量が後述する所定の範囲内に設定されることが重要である。
【００４７】
図４に示すように、第１の給電ライン１００(1)の初段ＬＣローパス・フィルタ１０４(1)における初段コイル１０８(1)を構成する３個の空芯コイル単体Ａ(1)，Ｂ(1)、Ｃ(1)は、内側発熱線４０(IN)側から見て電気的にこの順序で直列に接続されており、空芯コイル単体Ａ(1)が最も初段の位置つまりフィタル端子Ｔ(1)に電気的に最も近い位置にある。また、第２の給電ライン１００(2)の初段ＬＣローパス・フィルタ１０４(2) における初段コイル１０８(2)を構成する３個の空芯コイル単体Ａ(2)，Ｂ(2)、Ｃ(2)も、内側発熱線４０(IN)側から見て電気的にこの順序で直列に接続されており、空芯コイル単体Ａ(2)が最も初段の位置つまりフィタル端子Ｔ(1)に電気的に最も近い位置にある。
【００４８】
図５および図６において、フィルタユニット５４(IN)は、導電板からなる箱状のカバーまたはケーシング１２０を有しており、このケーシング１２０内にフィルタ構成部品の全部を収容している。特に、初段コイル１０８(1)，１０８(2)をそれぞれ構成する３個の空芯コイル単体［Ａ(1)，Ｂ(1)、Ｃ(1)］、［Ａ(2)、Ｂ(2)，Ｃ(2)］にケーシング内のスペースの大部分が充てられ、初段コンデンサ１１０(1)，１１０(2)および次段ＬＣローパス・フィルタ１０６(1)，１０６(2)は片隅の小さなスペースに配置されている。ケーシング１２０の材質としては、磁気的遮蔽能力の高くて防錆に優れた比透磁率の高いステンレス鋼が好適である。
【００４９】
各々の空芯コイル単体［Ａ(1)，Ｂ(1)、Ｃ(1)］、［Ａ(2)、Ｂ(2)，Ｃ(2)］は、ヒータ電源５２(IN)から内側発熱線４０(IN)に十分大きな（たとえば３０Ａの）電流を流す給電線の機能に加えて、発熱（パワーロス）を防ぐ観点からフェライト等の磁芯を持たずに空芯で非常に大きなインダクタンスを得るために、太いコイル線（たとえばφ４〜６ｍｍ）とこれまでの常識に反するような大きさのコイルサイズ（たとえば直径が２２〜４５ｍｍ、長さ１５０〜２５０ｍｍ）を有している。
【００５０】
この実施形態では、ケーシング１２０内に６個の空芯コイル単体［Ａ(1)，Ｂ(1)、Ｃ(1)］、［Ａ(2)、Ｂ(2)，Ｃ(2)］が全体としてスペース的にも機能的にも効率的に取り付けられている。より詳細には、第１および第２の給電ライン１００(1)，１００(2)の第１段空芯コイル単体Ａ(1)，Ａ(2)同士が、ケーシング１２０の周回方向の一方の側面に寄って立設されたたとえば樹脂からなる円筒または円柱状の支持軸（ボビン）１１４Ａに同心状に装着されている。また、両給電ライン１００(1)，１００(2)の第２段空芯コイル単体Ｂ(1)，Ｂ(2)同士が、ケーシング１２０内の略中心部に立設された別の支持軸１１４Ｂに同心状に装着されている。また、両給電ライン１００(1)，１００(2)の第３段空芯コイル単体Ｃ(1)，Ｃ(2)同士が、ケーシング１２０の周回方向の他方の側面に寄って立設された別の支持軸１１４Ｃに同心状に装着されている。
【００５１】
図６に示すように、第１段空芯コイル単体Ａ(1)，Ａ(2)の上端にフィルタ端子Ｔ(1)，Ｔ(2)が取り付けられ、第１段空芯コイル単体Ａ(1)，Ａ(2)と第２段空芯コイル単体Ｂ(1)，Ｂ(2)とは下端側で電線１２０を介して結線され、第２段空芯コイル単体Ｂ(1)，Ｂ(2)と第３段空芯コイル単体Ｃ(1)，Ｃ(2)とは上端側で電線１２２を介して結線されている。また、第３段空芯コイル単体Ｃ(1)，Ｃ(2)と初段コンデンサ１１０(1)，１１０(2)とは下端側で電線１２４を介して結線されている。
【００５２】
この実施形態では、ケーシング１２０内に上記のように配置される空芯コイル単体［Ａ(1)，Ｂ(1)、Ｃ(1)］、［Ａ(2)、Ｂ(2)，Ｃ(2)］において、共通の支持軸（ボビン）に装着される空芯コイル同士の間ではコイル巻線の螺旋の向きを同じにしている。また、水平方向で相隣接する支持軸（ボビン）に装着される空芯コイル同士の間ではコイル巻線の螺旋の向きを各自のコイル中心部に発生する軸方向の磁界の向きが反対になるようにしている。たとえば、空芯コイル単体Ａ(1)，Ａ(2)の中を磁力線が軸方向に上から下に貫く時は、隣の空芯コイル単体Ｂ(1)，ＡＢ(2)の中を磁力線が軸方向に下から上に貫くようにする。これにより、支持軸（ボビン）１１４Ａに同心状に装着される第１段空芯コイル単体Ａ(1)，Ａ(2)には、サセプタ１２から内側発熱線４０(IN)および給電線５２(IN)を通って伝搬してきた２つの給電ライン上の高周波電流が同じ螺旋の向きで同方向に流れる。その際、つまり両空芯コイル単体Ａ(1)，Ａ(2)に同時に高周波電流が流れると、両コイル単体をそれぞれ貫く磁束が実質的に同じ量で同じ方向を向くという関係があり、両空芯コイル単体Ａ(1)，Ａ(2)の間に結合定数が正の相互インダクタンスが得られる。同様に、第２段空芯コイル単体Ｂ(1)，Ｂ(2)の間および第３段空芯コイル単体Ｃ(1)，Ｃ(2)の間でも結合定数が正の相互インダクタンスが得られる。
【００５３】
また、水平方向で相隣接する第１段空芯コイル単体Ａ(1)，Ａ(2)と第２段空芯コイル単体Ｂ(1)，Ｂ(2)との間では、高周波の電流が反対の螺旋の向きで逆方向に流れるという関係があり、これにより結合定数が正の相互インダクタンスが得られる。相隣接する第２段空芯コイル単体Ｂ(1)，Ｂ(2)と第３段空芯コイル単体Ｃ(1)，Ｃ(2)との間でも同様に正の相互インダクタンスが得られる。
【００５４】
この実施形態においては、上記のようにケーシング１２０内に収容される空芯コイル単体［Ａ(1)，Ｂ(1)、Ｃ(1)］、［Ａ(2)、Ｂ(2)，Ｃ(2)］が大きな自己インダクタスと正の相互インダクタンスを有することにより、それらの空芯コイル単体で構成される初段コイル１０８(1)，１０８(2)において５μＨ以上の合成インダクタンスを容易に実現することができる。
【００５５】
なお、本発明においては、ＲＦ電力損失を極力少なくする観点から、特に第１段の空芯コイル単体Ａ(1)，Ａ(2)が大きなインダクタンスを有することが好ましい。この実施形態では、図６に示すように、第１段の空芯コイル単体Ａ(1)，Ａ(2)の巻線数を第２段の空芯コイル単体Ｂ(1)，Ｂ(2)および第３段の空芯コイル単体Ｃ(1)，Ｃ(2)の巻線数よりも多くしており、これによって第１段空芯コイル単体Ａ(1)，Ａ(2)のインダクタンスを他の空芯コイル単体Ｂ(1)、Ｃ(1)、Ｂ(2)，Ｃ(2)のインダクタンスよりも大きくしている。
【００５６】
一方で、初段コイル１０８(1)，１０８(2)は、実際には、当然のことながら浮遊容量と損失分（抵抗）を有しており、等価的には図７のような回路として表すことができる。図７の等価回路において、Ｃfは浮遊容量であり、Ｒa，Ｒbは損失分（抵抗）である。初段コイル１０８のインダクタンスＬfを大きくするほど初段コイル１０８および抵抗Ｒaを流れる高周波電流を小さくし、抵抗Ｒaで生じる電力損失を少なくすることができる。しかし、浮遊容量Ｃfが有意義な値を有していれば、その浮遊容量Ｃfおよび抵抗Ｒbのバイパス路を高周波電流が流れることによって抵抗Ｒbで相当量の電力損失が生じることになる。したがって、浮遊容量ＣFを極力小さくすることも、初段コイル１０８の電力損失を低減するうえで重要になる。
【００５７】
かかる観点から、この実施形態では、初段コイル１０８(1)，１０８(2)を構成する空芯コイル単体［Ａ(1)，Ｂ(1)、Ｃ(1)］、［Ａ(2)、Ｂ(2)，Ｃ(2)］を全てケーシング１２０の内壁面（接地電位面）から１０ｍｍ以上離しており、これによって初段コイル１０８(1)，１０８(2)と接地電位部間の合成浮遊容量つまり合成対地浮遊容量Ｃfを３０ｐＦ以下に抑えるようにしている。
【００５８】
なお、３個の空芯コイル単体［Ａ(1)，Ｂ(1)、Ｃ(1)］、［Ａ(2)、Ｂ(2)，Ｃ(2)］のそれぞれのインダクタンスを足し合わせた総和インダクタンスが同じ値の場合は、第１段の空芯コイル単体Ａ(1)，Ａ(2)の巻数が多いほど、全体の対地浮遊容量は小さくなる。また、３個の空芯コイル単体［Ａ(1)，Ｂ(1)、Ｃ(1)］、［Ａ(2)、Ｂ(2)，Ｃ(2)］のそれぞれの対地浮遊容量を足し合わせた総和対地浮遊容量が同じ値の場合は、第１段の空芯コイル単体Ａ(1)，Ａ(2)の浮遊容量が小さいほど全体の対地浮遊容量は小さくなる。このことは、本発明者がシミュレーションおよび実験で確認している。
【００５９】
上記のように、第１段の空芯コイル単体Ａ(1)，Ａ(2)の巻線を多くすること、あるいはそれらの対地浮遊容量を小さくすることが、初段コイル１０８(1)，１０８(2)全体の合成対地浮遊容量を小さくするうえで最も効果が大きい。その意味では、たとえば、第１段の空芯コイル単体Ａ(1)，Ａ(2)とケーシング１２０の内壁との間に特に大きな離間距離を設定するのが好ましい。あるいは、第１段の空芯コイル単体Ａ(1)，Ａ(2)の巻数を他の空芯コイル単体［Ｂ(1)、Ｃ(1)］、［Ｂ(2)，Ｃ(2)］の巻数よりもできるだけ多くするのが好ましい。
【００６０】
図５および図６に示すように、第３段空芯コイル単体Ｃ(1)，Ｃ(2)と近接してケーシング１２０の側壁にたとえば樹脂製のボックス１１６が取付されており、このボックス１１６の中に次段ＬＣローパス・フィルタ１０６(1)，１０６(2)の全部が収容され、そのボックス１１６の下に初段コンデンサ１１０(1)，１１０(2)が配置されている。第３段空芯コイル単体Ｃ(1)，Ｃ(2)とボックス１１６との間には電磁シールド用の隔壁板１１８が設けられている。
【００６１】
この実施形態のプラズマエッチング装置においては、第１の高周波電源２８よりサセプタ１２に印加された高周波の一部が内側発熱体４０(IN)から第１および第２の給電ライン１００(1)，１００(2)を伝ってフィルタ回路１０２(1)，１０２(2)に入ってくる。フィルタ回路１０２(1)，１０２(2)に入った高周波の電流は初段ＬＣローパス・フィルタ１０４(1)，１０４(2)でたとえば１／１０以下まで減衰し、次段ＬＣローパス・フィルタ１０６(1)，１０６(2)に流れ込む高周波電流は非常に小さい。このため、次段コイル１１２(1)，１１２(2)の電力損失は殆ど無視できるほどであり、次段コイル１１２(1)，１１２(2)を小型の磁芯入りコイルで構成することもできる。もっとも、次段コイル１１２(1)，１１２(2)がこれに近接する第３段空芯コイル単体Ｃ(1)，Ｃ(2)と磁気的に結合するのは望ましくないので、隔壁板１１８で遮蔽している。この隔壁板１１８もケーシング１２０と同じ材質のものでよい。
【００６２】
上記のように、サセプタ１２側から給電ライン１００(1)，１００(2)を伝ってフィルタ回路１０２(1)，１０２(2)に入った高周波の殆どが初段ＬＣローパス・フィルタ１０４(1)，１０４(2)で減衰して消失し、それに伴ってフィルタ回路１０２(1)，１０２(2)内のＲＦ電力損失の殆どが初段ＬＣローパス・フィルタ１０４(1)，１０４(2)で生じる。
【００６３】
本発明者は、この実施形態のプラズマエッチング装置において、初段コイル１０８(1)，１０８(2)の合成インダクタンス（Ｌ）および合成対地浮遊容量（Ｃ）をそれぞれ横軸および縦軸にとって、フィルタ回路１０２(1)，１０２(2)で生じるＲＦ電力損失の全高周波パワー（高周波電源２８の出力パワー）に占める割合つまりフィルタパワー損失率（％）をシミュレーションで求めたところ、図８に示すような等高線図が得られた。なお、上記合成インダクタンス（Ｌ）および合成対地浮遊容量（Ｃ）は、発熱体４０側から見たときの初段コイル１０８(1)，１０８(2)の見掛けの合成インダクタンスおよび合成対地浮遊容量である。
【００６４】
図８に示すように、インダクタンス（Ｌ）の値が大きいほど、また浮遊容量（Ｃ）の値が小さいほど、フィルタパワー損失率（％）が小さくなり、Ｌが５μＨ以上でＣが３０ｐＦ以下の領域（点線枠で示す領域）ではＬ，Ｃの値が変動してもフィルタパワー損失率（％）は必ず４％未満に収まることがわかる。一方、上記領域の外では、フィルタパワー損失率（％）を４％未満に収めることが困難または不可能であるだけでなく、ＬまたはＣの小さな変化に対してフィルタパワー損失率（％）が大きく変化し、量産時に機差となりやすい。
【００６５】
ところで、一般のプラズマエッチングにおいて、プロセス性能の代表的な指標であるエッチングレートの再現性許容値はばらつきが大体２％以下とされており、そのためにはフィルタパワー損失率（％）がその２倍以下つまり大体４％以下でなければならないとされている。したがって、各初段コイル１０８(1)，１０８(2)のインダクタンス（Ｌ）が５μＨ以上で浮遊容量（Ｃ）が３０ｐＦ以下であれば、エッチングレートの再現性許容値を確実にクリアし、量産時の機差をなくすことができる。この実施形態においては、フィルタユニット５４(IN)を上述したような構成とすることにより、かかるＬ，Ｃの数値条件を満たすことができる。
【００６６】
以上好適な実施形態について説明したが、本発明は上記実施形態に限定されるものではなく、その技術思想の範囲内で種々の変形が可能である。
【００６７】
たとえば、上記した実施形態のプラズマエッチング装置では、サセプタ１２に設ける発熱体４０をサセプタ半径方向で内側の発熱線４０(IN)と外側の発熱線４０(OUT)に２分割したが、非分割または一体型のものも可能であり、その場合はヒータ電源および給電ラインも１系統で済む。
【００６８】
また、上記実施形態では、フィルタユニット５４(IN)，５４(OUT)において，初段コイル１０８(1)，１０８(2)をそれぞれ３個の空芯コイル単体［Ａ(1)，Ｂ(1)、Ｃ(1)］、［Ａ(2)、Ｂ(2)，Ｃ(2)］に分割した。しかし、初段コイル１０８(1)，１０８(2)をたとえば２個の空芯コイル単体［Ａ(1)，Ｂ(1)］、［Ａ(2)、Ｂ(2)］にそれぞれ分割することも可能であり、あるいは１個の空芯コイル単体Ａ(1)、Ａ(2)のみでそれぞれ構成することも可能である。
【００６９】
また、フィルタ回路１０２(1)，１０２(2)の回路構成も種々の変形が可能であり、たとえば、次段のＬＣローパス・フィルタ１０６(1)，１０６(2)の後段に第３段のＬＣローパス・フィルタを縦続接続する構成も可能である。
【００７０】
上記実施形態では、プラズマ生成用の第２高周波（６０ＭＨｚ）をシャワーヘッド（上部電極）６４に印加したが、第２高周波を第１高周波（１３．５６ＭＨｚ）に重畳してサセプタ１２に印加する下部２周波印加方式にも本発明は適用可能である。さらには、上部電極６４には高周波を印加せずにサセプタ１２に第１高周波（１３．５６ＭＨｚ）のみを印加する下部１周波印加方式も可能である。また、サセプタ１２に印加する第１高周波は１３．５６ＭＨｚに限定されるものでもなく、他の周波数も使用可能であることはもちろんである。フィルタユニット５２に用いるケーシング１２０は、密閉した筐体構造に限らず、一部が開口していても構わない。
【００７１】
また、本発明は、プラズマエッチング装置に限定されず、プラズマＣＶＤ、プラズマ酸化、プラズマ窒化、スパッタリングなどの他のプラズマ処理装置にも適用可能である。また、本発明における被処理基板は半導体ウエハに限るものではなく、フラットパネルディスプレイ用の各種基板や、フォトマスク、ＣＤ基板、プリント基板等も可能である。
【図面の簡単な説明】
【００７２】
【図１】本発明の一実施形態におけるプラズマエッチング装置の構成を示す縦断面図である。
【図２】実施形態においてサセプタの発熱体に電力を供給するための給電部の回路構成を示す図である。
【図３】実施形態における発熱体の構成例を示す図である。
【図４】実施形態における初段コイルの回路構成を示す図である。
【図５】実施形態におけるフィルタユニット内の主要な構成を示す平面図である。
【図６】実施形態におけるフィルタユニット内の主要な構成を示す略断面図である。
【図７】実施形態における空芯コイル単体の等価回路を示す図である。
【図８】実施形態における初段コイルのインダクタンスおよび浮遊容量とフィルタパワー損失率（％）との関係を示す図である。
【符号の説明】
【００７３】
１０    チャンバ（処理容器）
１２    サセプタ（下部電極）
２４    排気装置
２８    第１の高周波電源
４０    発熱体
４０（IN）  内側発熱線
４０（OUT）  外側発熱線
５４（IN），５４（OUT）  フィルタユニット
５８（IN），５８（OUT）  ヒータ電源
６４    シャワーヘッド（上部電極）
７４    処理ガス供給部
１００(1)    第１の給電ライン
１００(2)    第２の給電ライン
１０２(1)    第１のフィルタ回路
１０２(2)    第２のフィルタ回路
１０４(1)，１０４(2)    初段ＬＣローパス・フィルタ
１０６(1)，１０６(2)    次段ＬＣローパス・フィルタ
１０８(1)，１０８(2)    初段コイル
１１０(1)，１１０(2)    初段コンデンサ
１１２(1)，１１２(2)    次段コイル
１１４(1)，１１４(2)    次段コンデンサ
１１８    隔壁板
１２０，１２２，１２４    結線用の電線
【図１】
2008198902.tif 000003
【図２】
2008198902.tif 000004
【図３】
2008198902.tif 000005
【図４】
2008198902.tif 000006
【図５】
2008198902.tif 000007
【図６】
2008198902.tif 000008
【図７】
2008198902.tif 000009
【図８】
2008198902.tif 000010